(57)【要約】【課題】個々の使用者のプライバシーを確保しつつ、複数の使用者が共同して１つの装置を使用できるようにする。【解決手段】端末３をベース１に対して着脱自在とし、さらに端末３を可搬型とする。ベース１と端末３の間において、無線でデータを授受することができるようにし、ベース１で、電話回線を介して受信したE-Mailやファクシミリのデータを受信し、端末３に記憶させる。端末３をベース１から取り出し、自分の部屋に持って行き、記憶されているE-Mailのメッセージやファクシミリのデータを表示させる。【選択図】図１
2006203943.tif 000002
【特許請求の範囲】
【請求項１】
使用者に対応付けられた情報を記憶する記憶手段と、
前記使用者に対応付けられたシンボルをディスプレイに表示するシンボル表示手段と、
表示された前記シンボルの中から前記使用者が自己を特定するためのシンボルを選択する選択手段と、
前記選択手段によりシンボルが選択されたとき、前記記憶手段に記憶されている前記情報の中から、選択された前記シンボルに対応付けられた使用者に対応する情報を読み出して出力する出力手段と
を備えることを特徴とする情報処理装置。
【請求項２】
前記記憶手段は、前記シンボルに対応する第１のパスワードを記憶し、
前記シンボルに対応する第２のパスワードを入力する入力手段と、
入力された前記第２のパスワードを、前記記憶手段に記憶された前記第１のパスワードに基づいて認証するパスワード認証手段と
を備え、
前記出力手段は、入力された前記第２のパスワードが認証された場合、選択された前記シンボルに対応付けられた使用者に対応する情報を読み出して出力する
ことを特徴とする請求項１に記載の情報処理装置。
【請求項３】
前記シンボル表示手段は、複数の前記使用者に対応付けられたシンボルを、それぞれ異なる色で表示する
ことを特徴とする請求項１に記載の情報処理装置。
【請求項４】
所定の使用者に対応付けられた情報が前記記憶手段に記憶されたとき、その使用者に対応付けられた情報が前記記憶手段に記憶されたことを通知する通知手段を備える
ことを特徴とする請求項１に記載の情報処理装置。
【請求項５】
前記ディスプレイを覆うようにタッチパネルが設けられ、
前記選択手段は、前記使用者による前記タッチパネルに対する操作に応じて、前記シンボルを選択する
ことを特徴とする請求項１に記載の情報処理装置。
【請求項６】
使用者に対応付けられたシンボルをディスプレイに表示するシンボル表示ステップと、
表示された前記シンボルの中から前記使用者が自己を特定するためのシンボルを選択する選択ステップと、
前記選択ステップによりシンボルが選択されたとき、あらかじめ記憶されている前記使用者に対応付けられた情報の中から、選択された前記シンボルに対応付けられた使用者に対応する情報を読み出して出力する出力ステップと
を含むことを特徴とする情報処理方法。
【発明の詳細な説明】
【技術分野】
【０００１】
本発明は、情報処理装置および方法に関し、特に、例えば、家庭において、個々の家族が、ある程度の機密を保持しつつ、共同して利用することができるようにした情報処理装置および方法に関する。
【背景技術】
【０００２】
最近、インターネットに代表されるネットワークが普及し、職場はもとより、各家庭においても、E-Mailやファクシミリによりメッセージを相手に伝送することが行われるようになってきた。
【０００３】
従来、各家庭において、このようなE-Mailやファクシミリが伝送されてきた場合、これを例えばテレビジョン受像機に表示させたり、パーソナルコンピュータを用いて、そのディスプレイ上に表示させるようにしている。
【発明の開示】
【発明が解決しようとする課題】
【０００４】
しかしながら、E-Mailやファクシミリのメッセージを、例えばテレビジョン受像機に表示するようにすると、他の家族には知られたくないメッセージを、他の家族にも知られてしまうおそれがあり、プライバシーが守れない課題があった。
【０００５】
また、E-Mailやファクシミリにより受信したメッセージをテレビジョン受像機に表示させるようにすると、例えば、急なE-Mailやファクシミリが受信された場合、そのアイコンがテレビ画面上に表示されたり、その内容を見るために、画面を切り換えたり、分割するなどの処理が必要となり、その間、テレビ番組を充分楽しむことができなくなる課題があった。
【０００６】
本発明はこのような状況に鑑みてなされたものであり、テレビ番組を楽しむことができなくなることを防止するとともに、各家族のプライバシーを守ることができるようにするものである。
【課題を解決するための手段】
【０００７】
本発明の一側面の情報処理装置は、使用者に対応付けられた情報を記憶する記憶手段と、前記使用者に対応付けられたシンボルをディスプレイに表示するシンボル表示手段と、表示された前記シンボルの中から前記使用者が自己を特定するためのシンボルを選択する選択手段と、前記選択手段によりシンボルが選択されたとき、前記記憶手段に記憶されている前記情報の中から、選択された前記シンボルに対応付けられた使用者に対応する情報を読み出して出力する出力手段とを備えることを特徴とする。
【０００８】
前記記憶手段には、前記シンボルに対応する第１のパスワードを記憶させることができ、前記シンボルに対応する第２のパスワードを入力する入力手段と、入力された前記第２のパスワードを、前記記憶手段に記憶された前記第１のパスワードに基づいて認証するパスワード認証手段とを備え、前記出力手段には、入力された前記第２のパスワードが認証された場合、選択された前記シンボルに対応付けられた使用者に対応する情報を読み出して出力させることができる。
【０００９】
前記シンボル表示手段には、複数の前記使用者に対応付けられたシンボルを、それぞれ異なる色で表示させることができる。
【００１０】
所定の使用者に対応付けられた情報が前記記憶手段に記憶されたとき、その使用者に対応付けられた情報が前記記憶手段に記憶されたことを通知する通知手段を設けることができる。
【００１１】
前記ディスプレイを覆うようにタッチパネルが設け、前記選択手段には、前記使用者による前記タッチパネルに対する操作に応じて、前記シンボルを選択させることができる。
【００１２】
本発明の一側面の情報処理方法は、使用者に対応付けられたシンボルをディスプレイに表示するシンボル表示ステップと、表示された前記シンボルの中から前記使用者が自己を特定するためのシンボルを選択する選択ステップと、前記選択ステップによりシンボルが選択されたとき、あらかじめ記憶されている前記使用者に対応付けられた情報の中から、選択された前記シンボルに対応付けられた使用者に対応する情報を読み出して出力する出力ステップとを含むことを特徴とする。
【００１３】
本発明の一側面においては、使用者に対応付けられた情報が記憶され、使用者に対応付けられたシンボルがディスプレイに表示され、表示されたシンボルの中から使用者が自己を特定するためのシンボルが選択され、シンボルが選択されたとき、記憶されている情報の中から、選択されたシンボルに対応付けられた使用者に対応する情報が読み出して出力される。
【発明の効果】
【００１４】
以上のように、本発明の一側面によれば、複数の使用者が、相互のプライバシーを確保しながら、情報を確認することができる。
【発明を実施するための最良の形態】
【００１５】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１６】
本発明の一側面の情報処理装置（例えば、図１５の端末３）は、使用者に対応付けられた情報を記憶する記憶手段（例えば、図１５の記憶装置６４）と、前記使用者に対応付けられたシンボルをディスプレイに表示するシンボル表示手段（例えば、図１８のシンボル１０３を表示させる、図１５のLCD１１）と、表示された前記シンボルの中から前記使用者が自己を特定するためのシンボルを選択する選択手段（例えば、図１のステップＳ５の処理）と、前記選択手段によりシンボルが選択されたとき、前記記憶手段に記憶されている前記情報の中から、選択された前記シンボルに対応付けられた使用者に対応する情報を読み出して出力する出力手段（例えば、図１５のCPU６１）とを備えることを特徴とする。
【００１７】
前記記憶手段は、前記シンボルに対応する第１のパスワードを記憶することができ、前記シンボルに対応する第２のパスワードを入力する入力手段（例えば、図１５のボタン１４）と、入力された前記第２のパスワードを、前記記憶手段に記憶された前記第１のパスワードに基づいて認証するパスワード認証手段（例えば、図１５のCPU６１）とを備え、前記出力手段は、入力された前記第２のパスワードが認証された場合、選択された前記シンボルに対応付けられた使用者に対応する情報を読み出して出力することができる。
【００１８】
前記シンボル表示手段は、複数の前記使用者に対応付けられたシンボルを、それぞれ異なる色で表示することができる。
【００１９】
所定の使用者に対応付けられた情報が前記記憶手段に記憶されたとき、その使用者に対応付けられた情報が前記記憶手段に記憶されたことを通知する通知手段（例えば、図１８のマーク１０２を表示させる、図１５のLCD１１）を設けるようにすることができる。
【００２０】
前記ディスプレイを覆うようにタッチパネル（例えば、図１５のタッチパネル１６）が設けられ、前記選択手段は、前記使用者による前記タッチパネルに対する操作に応じて、前記シンボルを選択することができる。
【００２１】
本発明の一側面の情報処理方法は、使用者に対応付けられたシンボルをディスプレイに表示するシンボル表示ステップ（例えば、図１６のステップＳ１の処理）と、表示された前記シンボルの中から前記使用者が自己を特定するためのシンボルを選択する選択ステップ（例えば、図１６のステップＳ５の処理）と、前記選択ステップによりシンボルが選択されたとき、あらかじめ記憶されている前記使用者に対応付けられた情報の中から、選択された前記シンボルに対応付けられた使用者に対応する情報を読み出して出力する出力ステップ（例えば、図１７のステップＳ１２の処理）とを含むことを特徴とする。
【００２２】
以下、図面を参照しながら本発明の実施の形態について説明する。
【００２３】
図１乃至図１４は、本発明の情報処理装置の構成例を表している。これらの図に示すように、この情報処理装置は、基本的に、ベース１と、このベース１に対して着脱自在とされているコードレスの電話機２、および端末３とにより構成されている。ベース１は、机、テーブルなどに載置され、端末３は、ベース１から取り外した状態において、容易に手で持って運ぶことができる可搬型のものとされている。
【００２４】
端末３の正面には、図３に示すように、LCD１１が設けられており、その表面には、タッチパネル１６が設けられている。タッチパネル１６は、透明とされ、その裏側に配置されているLCD１１の表示を、使用者が見ることができるようになされている。LCD１１の上方には、ビデオカメラ１２が配置され、LCD１１を見ている状態の使用者を撮像することができるようになされている。また、この状態の使用者からの声を集音することができるように、ビデオカメラ１２の近傍に、マイクロホン１５が設けられている。マイクロホン１５のさらに外周には、スピーカ１３が設けられ、LCD１１を見ている使用者が、スピーカ１３の出力する音を容易に聞くことができるようになされている。また、LCD１１の下方には、端末３に対して基本的な指令を入力するとき操作されるボタン１４が複数個設けられている。
【００２５】
図５に示すように、端末３の上面左側には、ペン４を挿入するための挿入孔２１が設けられている。使用者は、ペン４を用いないとき、この挿入孔２１にペン４を挿入し、使用するとき、この挿入孔２１からペン４を取り出して、タッチパネル１６上に所定の入力を行うことができるようになされている。
【００２６】
電話機２は、図８に示すように、その上方にスピーカ３２が、その下方にマイクロホン３３が、それぞれ設けられており、それらの間には、数字、その他の入力を行うためのボタン３１が設けられている。
【００２７】
図１３と図１４に示すように、ベース１には、電話機２を収容するための凹部１Ａと、端末３を収容するための凹部１Ｂが設けられている。
【００２８】
なお、これらの図には省略されているが、ベース１と電話機２の間には、電話機２に内蔵されている２次電池３５（図１５）に対して、ベース１の充電器４２（図１５）から電力を供給するための接点が設けられている。また、同様に、ベース１と端末３の間には、ベース１の充電器４２から、端末３の２次電池６６（図１５）に対して、電力を供給するための接点が設けられている。
【００２９】
図１５は、ベース１、電話機２、および端末３の内部の電気的構成例を示している。ベース１には、CPU４３とメモリ４４を有するマイクロコンピュータ４５が設けられている。このマイクロコンピュータ４５は、ベース１における動作を制御するようになされている。ＲＦ送受信部４６は、端末３のＲＦ送受信部６５、ＡＶコントローラ５３または文字入力装置５４との間において、無線でデータを授受するようになされている。電源回路４１は、ベース１内の各部に電力を供給するとともに、充電器４２から、端末３の２次電池６６と、電話機２の２次電池３５に対して、充電電力を供給するようになされている。
【００３０】
モデム４７は、電話回線５１とマイクロコンピュータ４５との間の通信のインタフェース処理を実行するようになされている。インタフェース４８は、IEEE(Institute of Electrical and Electronics Engineers)１３９４バス５２を介して、外部のＡＶコントローラ５３との間で授受されるデータのインタフェース処理を行うようになされている。
【００３１】
電話機２においては、２次電池３５が、各部に電力を供給するようになされている。制御部３６は、ボタン３１からの指令に対応して、ＲＦ送受信部３４を制御し、端末３のＲＦ送受信部６５またはベース１のＲＦ送受信部４６との間において、データの授受を行うようになされている。マイクロホン３３は、使用者からの音声信号を取り込み、ＲＦ送受信部３４に出力するようになされている。スピーカ３２は、ＲＦ送受信部３４から供給されてきた音声信号を出力するようになされている。
【００３２】
端末３は、CPU６１とメモリ６２を有するマイクロコンピュータ６３を有している。マイクロコンピュータ６３は、端末３における各種の動作を制御するようになされている。タッチパネル１６は、ペン４で所定の入力が行われたとき、そのデータを取り込み、取り込んだデータをマイクロコンピュータ６３に供給するようになされている。マイクロコンピュータ６３は、ボタン１４からの操作信号またはＲＦ送受信部からの入力に対応して、各種の処理を実行し、LCD１１に所定の表示を行わせるとともに、メモリ６２または記憶装置６４に各種の情報を記憶させるようになされている。
【００３３】
記憶装置６４は、固体メモリまたはハードディスクなどにより構成され、外部より伝送されてきたE-Mailのメッセージ、ファクシミリのデータ、電話を介して伝送されてきた音声データなどを記憶するようになされている。ＲＦ送受信部６５は、ベース１のＲＦ送受信部４６、電話機２のＲＦ送受信部３４、あるいはまたＡＶコントローラ５３より無線で入力されたデータを、マイクロコンピュータ６３に供給するようになされている。このＲＦ送受信部６５にはまた、文字入力装置５４から無線で文字を入力することができるようになされている。
【００３４】
マイクロコンピュータ６３はまた、端末３に対して、ＩＤカード７１が装着された場合、これを読み取り、使用者を特定することができるようになされている。マイクロコンピュータ６３はさらに、ビデオカメラ１２やマイクロホン１５で取り込んだデータを、ＲＦ送受信部６５を介して、無線でベース１のＲＦ送受信部４６、電話機２のＲＦ送受信部３４、またはＡＶコントローラ５３に対して供給するようになされている。また、スピーカ１３には、マイクロコンピュータ６３から所定の音声信号が入力され、放音されるようになされている。２次電池６６は、端末３の各部に対して、必要な電力を供給するようになされている。
【００３５】
次に、図１６と図１７のフローチャートを参照して、端末３の動作について説明する。端末３の電源をオンすると、CPU６１は、電話回線５１を介して、E-Mail、ファクシミリのデータが伝送されてきたとき、自動的に記録する処理を実行する。すなわち、ベース１のCPU４３は、モデム４７を介してこれらのデータを受信したとき、これをＲＦ送受信部４６から端末３のＲＦ送受信部６５に無線で送信させる。端末３のCPU６１は、ＲＦ送受信部６５を介してこのデータを受信したとき、これを記憶装置６４に記憶させる。
【００３６】
常にこのような処理を行う一方で、CPU６１は、図１６と図１７に示す処理を実行する。ステップＳ１において、CPU６１は、メニュー画面を表示させる処理を実行する。すなわち、CPU６１は、例えば図１８に示すようなメニュー画面のデータを生成し、これをLCD１１に出力し、表示させる。図１８の表示例においては、人の形状をシンボライズしたシンボル１０３が５個表示されている。そして、各シンボル１０３の下には、各シンボル１０３に対応する名称が表示されている。すなわち、このシンボル１０３は、この情報処理装置を使用する家庭の各家族に対応されており、各シンボル１０３の下方には、その使用する家族の名前が表示されている。この名前は、各家庭において、文字入力装置５４を操作することで使用者が入力し、記憶装置６４に登録させるものである。
【００３７】
この表示例においては、図１８において、左側から順番に、Jon，Laura，Mike，Jane，Gregの名前が各シンボル１０３に割り当てられている。また、これらのシンボル１０３は、それぞれ異なる色で表されており、例えば左側から順番に、青、緑、グレー、ピンク、黄色で表示されている。
【００３８】
また、メニュー画面のほぼ中央には、ウインドウ１０１が表示され、このウインドウ１０１内には、電話回線５１を介して授受する各種の情報が表示されている。この表示例の場合、情報としては、E-Mailの受付件数（５件）、および電話(TEL)の受付件数（２件）が表示されている。また、電話回線５１を介して、ニュースの配信を受けるようになされており、その配信がなされたか否かが、WEBに表示されている。いまの場合、配信されていないので、文字NONが表示されている。
【００３９】
さらに、IEEE１３９４バス５２を介してＡＶコントローラ５３に接続されているビデオテープレコーダ(VTR)（図示せず）に対して録画の予約を行っている場合には、その予約の状況が表示される。この表示例の場合、午後４時３０分から５時まで第８６チャンネルの放送を録画することが予約されていることになる。
【００４０】
さらにこの表示例においては、所定の代理店(AGENT)に対して、チケットの予約を、例えばインターネットを介して申し込んでおいたような場合、そのチケットの予約結果が、その代理店から、インターネットを介して伝送されてきていれば、これが表示される。
【００４１】
さらに、このウインドウ１０１の右端には、各情報に対応して、マーク１０２が表示されている。このマーク１０２は、シンボル１０３の色に対応したものとなっている。例えば、E-Mailの欄の右側に表示されている２個のマークが青とグレーである場合には、青のシンボル１０３に対応されているJonと、グレーのシンボル１０３に対応されているMikeに、E-Mailが伝送されてきて、記憶装置６４に記憶されていることになる。また、電話の欄のマーク１０２が、例えばピンクと青である場合には、ピンクのシンボル１０３のJaneと青のシンボル１０３のJonに対して電話がかかってきたことが判る。さらに、VTRの欄のマーク１０２が黄色である場合には、黄色のシンボル１０３のGregの予約であることが判る。また、代理店の情報欄におけるマーク１０２が、例えば緑色である場合には、この情報は、緑色のシンボル１０３のLauraによるものであることになる。
【００４２】
次に、ステップＳ２に進み、CPU６１は、入力があるまで待機し、何らかの入力がなされた場合には、ステップＳ３に進み、パスワード入力画面表示処理を実行する。このとき、CPU６１は、LCD１１に、例えば図１９に示すようなパスワード入力画面を表示させる。この画面においては、その下方にボタン１２１が表示され、使用者は、このボタン１２１のうちの所定のものをペン４でタッチすることにより、自分自身のパスワードを入力する。勿論、各パスワードは、使用者毎に（シンボル毎に）予め入力され、記憶装置６４に登録されているものである。
【００４３】
次に、ステップＳ４において、CPU６１は、使用者が入力したパスワードが、ステップＳ２で行った入力に対応するパスワードであるか否かを判定する。入力されたパスワードがステップＳ２の入力に対応しないものである場合には、ステップＳ１に戻り、再びメニュー画面表示状態に戻る。
【００４４】
すなわち、例えば、使用者が、図１８のメニュー画面表示状態において、E-Mailの欄をペン４でタッチした場合には、記憶装置６４に記憶されているE-Mailのメッセージを読み出すことができるのであるが、いまの場合、受信されているE-Mailは、青色のシンボル１０３が対応するJonと、グレーのシンボル１０３が対応するMikeに対するものだけである。従って、プライバシーを守る観点から、それ以外の、例えばLauraがE-Mailの情報の欄をペン４でタッチしたとしても、入力するパスワードがJonまたはMikeのパスワードでない場合には、E-Mailのメッセージを表示させないようにする。このため、ステップＳ４において、パスワードが入力と一致しない場合には、以後のステップに移行させないようにするのである。
【００４５】
従って、いまの場合、ステップＳ２でE-Mailの情報の読み出しが指令された場合において、JonまたはMikeのパスワードが入力された場合には、そのパスワードは入力に対応するものとなる。そこで、その場合には、ステップＳ５に進み、ステップＳ２で入力されたのは（ペン４でタッチされたのは）、個人キー（シンボル１０３）であるのか否かが判定される。シンボル１０３が入力された場合には、その使用者が、端末３を用いて所定の処理を行おうとしているので、この場合には、ステップＳ１２に進む。
【００４６】
ステップＳ５において、タッチされたのがシンボルではないと判定された場合、ステップＳ６に進み、タッチされたのがWEBの情報の欄（WEBキー）であるか否かが判定される。タッチされたのがWEBキーである場合には、ステップＳ７に進み、CPU６１は、WEB画面表示処理を実行する。すなわち、LCD１１に、例えばインターネットを介して、所定のサーバにアクセスするためのWEB画面として、図２０に示すような画面を表示させる。
【００４７】
ステップＳ６において、入力されたのがWEBキーではないと判定された場合、ステップＳ８に進み、E-Mailキーであるか否かが判定される。E-Mailキーであると判定された場合には、ステップＳ９に進み、MAIL/TEL画面表示処理が実行される。すなわち、このとき、CPU６１は、LCD１１に、例えば図２１に示すようなMAIL/TEL画面を表示させる。ここでは、いままでに送信されてきたE-Mailのメッセージが記憶装置６４から読み出され、表示される。但し、このメッセージは、入力されたパスワードに対応する使用者（シンボル）宛のものだけが表示される。これにより、この端末３を複数の家族で共通して使用するような場合においても、各家族のプライバシーが守られることになる。
【００４８】
一方、ステップＳ８において、E-Mailキーがタッチされていないと判定された場合には、ステップＳ１０に進み、ウインドウ１０１のVTRの欄（VTRキー）がタッチされたか否かが判定され、タッチされたと判定された場合には、ステップＳ１１に進み、ホームネット(HOME NET)画面表示処理が実行される。すなわち、この場合には、図２２に示すようなホームネット利用画面がLCD１１に表示される。
【００４９】
ステップＳ１２において、タッチされたのがVTRキーでもないと判定された場合には、この他、どのキーがタッチされたのか判定され、その判定結果に対応した処理が行われる。
【００５０】
一方、ステップＳ５において、メニュー画面上においてタッチされたのが、個人キー（シンボル１０３）であると判定された場合、ステップＳ１２に進み、CPU６１は、ファンクション画面表示処理を実行し、例えば図２３に示すようなファンクション画面をLCD１１に表示させる。このファンクション画面においては、ウインドウ１０１に入力されたパスワードに対応するシンボル宛のE-Mailの件数（２件）と電話(TEL)の件数（１件）が表示されている。図２３の表示例は、青色のシンボル１０３がパスワードを入力した場合の表示例を表している。図１８のメニュー画面においては、E-Mailの件数が５件であり、電話(TEL)の件数が２件であったものが、これらの件数は、記憶装置６４に記憶されている全ての家族宛の件数であるので、この図２３では、青色のシンボル１０３(Jon)宛のものだけの件数が表示されている。
【００５１】
使用者は、例えば、E-Mailのメッセージを見る場合においては、図２３のE-Mailの文字（情報キー）をペン４でタッチする。CPU６１は、ステップＳ１３において、この情報キーが選択されたか否かを判定し、この情報キーが選択されたと判定された場合、ステップＳ１４に進み、選択された情報キーに対応する情報を記憶装置６４から読み出し、LCD１１に表示する処理を実行する。例えば、使用者がE-Mailの情報キーを選択した場合には、LCD１１に、図２１に示すように、MAIL/TEL画面が表示され、そこに青色のシンボル１０３(Jon)宛のE-Mailのメッセージが表示される（但し、図２１の表示例は、Jon宛のメッセージではない）。
【００５２】
ファンクション画面においては、図２３に示すように、その下方に、WEB，MAIL/TEL，HOME NETの３つのタブ１３１が表示され、そのいずれかを選択することにより、いずれかのモードに移行することができるようになされている。WEBは、例えば、インターネットなどを介して、所定のサーバにアクセスするような場合に選択される。MAIL/TELは、E-Mailを送信したり、電話をかけたりする場合に選択される。HOME NETは、IEEE１３９４バス５２に接続されている電子機器を制御する場合に選択される。
【００５３】
ステップＳ１３において、ウインドウ１０１内の情報キーが選択されていないと判定された場合には、ステップＳ１５に進み、３つのタブ１３１のうちのいずれかが選択されたか否かが判定される。いずれのタブキーも選択されていないと判定された場合には、ステップＳ１２に戻り、それ以降の処理が繰り返し実行される。
【００５４】
ステップＳ１５において、３つのタブ１３１のうち、いずれかが選択されたと判定された場合、ステップＳ１６に進み、それぞれのモードに移行し、選択されたタブに対応する画面が表示される。例えば、タブWEBが選択された場合、WEBモードが設定され、LCD１１には、図２０に示したようなWEB画面が表示される。タブMAIL/TELが選択された場合には、MAIL/TELモードが設定され、例えば図２１に示すようなMAIL/TEL画面が表示される。タブHOME NETが選択された場合には、HOME NETモードが設定され、図２２に示すようなHOME NET画面が表示される。
【００５５】
これらの図２０乃至図２２に示す３つのモードの表示画面においては、その右上に、ホームリターンキーとしてのボタン１４２が表示されている。このボタン１４２は、３つのモードのうちのいずれかのモードにある状態において、メニュー画面に戻る場合に操作されるボタンである。従って、図２０乃至図２２に示すような画面が表示されている状態においては、ステップＳ１７において、ホームリターンキー（ボタン１４２）がオンされたか否かが判定され、オンされたと判定された場合には、ステップＳ１に戻り、LCD１１に、図１８に示すようなメニュー画面を表示させる。
【００５６】
ステップＳ１７において、ボタン１４２が操作されていないと判定された場合、ステップＳ１８に進み、タブキーが選択されたか否かが判定される。すなわち、図２０乃至図２２に示すように、いずれのモード画面においても、その上方に、３つのタブキー１３１が表示されており、いずれのモードからも、所定のタブキーを選択することにより、他のモードに移行することができるようになされている。なお、タブ１３１のうち、現在のモードのタブは、現在のモードがいずれのモードであるのかを認識することができるように、他のモードのタブより上方に表示されている。
【００５７】
ステップＳ１８において、３つのタブ１３１のうち、いずれかが選択されたか否かが判定され、いずれかが選択されたと判定された場合には、ステップＳ１６に戻り、選択されたタブに対応するモードに移行し、その画面が表示される。
【００５８】
ステップＳ１８において、タブ１３１のいずれもが選択されていないと判定された場合には、ステップＳ１９に進み、その他のボタン（キー）が選択されたか否かが判定される。その他のボタンが選択されていないと判定された場合には、ステップＳ１７に戻り、それ以降の処理が繰り返し実行される。ステップＳ１９において、その他のボタンが選択されたと判定された場合には、ステップＳ２０に進み、選択されたボタンに対応する処理が実行される。
【００５９】
例えば、図２１に示すMAIL/TEL画面において、ウインドウ２０１に表示されている、過去に受信したE-Mailのメッセージのリストの中から、カーソルを移動させることで所定のE-Mailを選択すると、その下方のウインドウ２０２には、その新たに選択したMAILの情報が表示される。図２４は、このようにして、他のE-Mailの内容が表示された状態を表している。この図２４の表示例においては、ファクシミリで受信した情報がウインドウ２０２に表示されている。
【００６０】
このように、この発明の実施の形態の場合、E-Mailとファクシミリの情報とは、実質的に、同様の情報として取り扱われている。
【００６１】
次に、図２５乃至図２８のフローチャートを参照して、MAIL/TELモードの処理の詳細について説明する。すなわち、この処理は、図２１または図２４に示すようなMAIL/TEL画面が表示された状態において（MAIL/TELモードにおいて）実行されるものである。
【００６２】
最初に、ステップＳ３１において、CPU６１は、着信メイル選択処理が入力されたか否かを判定する。この選択は、上述したように、例えば図２１のウインドウ２０１に示されている着信リストの中から、所定のものをカーソルで選択することで行われる。所定のメイルが選択された場合には、ステップＳ３２に進み、その選択した着信メイルが、記憶装置６４から読み出され、LCD１１に表示される。すなわち、上述したように、図２１に示すような所定の着信メイルが表示されている状態において、他の着信メイルが選択されると、図２４に示すように、ウインドウ２０２に、その選択した他の着信メイルが表示される。
【００６３】
ステップＳ３１において、着信メイルが選択されていないと判定された場合には、ステップＳ３３に進み、メイルボタンがオンされたか否かが判定される。このメイルボタンは、例えば図２１に示すボタン１４１Ｂであり、このボタンが選択された場合には、ステップＳ３４に進み、メイル作成画面表示処理が実行される。
【００６４】
メイルボタン（ボタン１４１Ｂ）がオンされていないと判定された場合には、ステップＳ４１に進み、電話ボタンがオンされたか否かが判定される。この電話ボタンは、例えば図２１のボタン１４１Ａである。このボタン１４１Ａは、電話をかけたり、着信を受ける場合に操作されるものであり、このボタン１４１Ａがオンされたと判定された場合には、ステップＳ４２に進み、ビデオホン画面表示処理が実行される。
【００６５】
これに対して、ステップＳ４１において、ボタン１４１Ａがオンされていないと判定された場合には、ステップＳ４３に進み、図２１におけるボタン１４１のうち、その他のボタンがオンされたか否かが判定される。その他のボタンがオンされたと判定された場合には、ステップＳ４４に進み、その操作されたボタンに対応する処理が実行される。ボタン１４１のその他のボタンがオンされていないと判定された場合には、ステップＳ３１に戻り、それ以降の処理が繰り返し実行される。
【００６６】
ステップＳ３３において、メイルボタン１４１Ｂがオンされたと判定された場合、ステップＳ３４において、メイル作成画面表示処理が実行され、LCD１１には、例えば図２９に示すようなメイル作成画面が表示される。同図に示すように、この表示例においては、ウインドウ２１１に、記憶装置６４に記憶されているE-Mailのアドレス(URL)と電話番号の対応表が、その氏名とともに表示される。そして、ウインドウ２１１の下方のウインドウ２１２には、送信するメイルの題名を入力する欄が表示され、その下方のウインドウ２１３には、送信するメイルの本文を入力する欄が表示される。
【００６７】
使用者は、このようなメイル作成画面が表示されたとき、ステップＳ３５において、送信するメイルを作成する処理を実行する。例えば、作成するメイルがE-Mailである場合には、題名と本文を、文字入力装置５４を操作することで入力する。入力された文字は、ＲＦ送受信部６５により、無線で受信され、CPU６１は、この信号を受信すると、そのテキストデータを、LCD１１の所定の位置（ウインドウ２１２またはウインドウ２１３）に表示させる。
【００６８】
あるいはまた、作成するメイルがファクシミリのメイルである場合には、ＡＶコントローラ５３により、図示せぬスキャナで、送信する原稿を読み取り、その読み取った原稿のデータを、ＲＦ送受信部６５で無線で受信するか、あるいはIEEE１３９４バス５２を介してベース１に供給させ、このベース１のＲＦ送受信部４６から無線でＲＦ送受信部６５で取り込むようにする。CPU６１は、このようにして取り込んだファクシミリの画像データを、ウインドウ２１３上に表示させる。
【００６９】
次に、ステップＳ３６に進み、使用者は、E-Mailを送信するか否かを判定する。E-Mailを送信する場合には、ステップＳ３７に進み、使用者は、図２９のウインドウ２１１に表示されている対応表から、送信する相手方のメイルアドレス(URL)を選択する。この選択は、カーソルを所定の位置に移動させることで行われる。この選択が行われたとき、ステップＳ３８に進み、CPU６１は、ステップＳ３５で作成されたE-Mailを、ステップＳ３７で選択された相手先(URL)に送出する処理を実行する。
【００７０】
すなわち、CPU６１は、ＲＦ送受信部６５を介して、ベース１のCPU４３に、E-Mailの送出を要求し、その送出するE-Mailのデータを出力する。ベース１のCPU４３は、このコマンドとデータを、ＲＦ送受信部４６を介して取り込み、モデム４７を制御して、指定されたURLに対するアクセス動作を実行させる。そして、アクセスした相手(URL)にE-Mailを送出させる。
【００７１】
ステップＳ３６において、送信するのがE-Mailではないと判定された場合、送信するのは、結局、ファクシミリであることになる。そこで、ステップＳ３９に進み、使用者は、図２９のウインドウ２１１に表示されている対応表から、ファクシミリを送る相手側の電話番号を選択する。この選択も、カーソルを所定の電話番号の位置に移動することで行われる。電話番号が選択されたとき、CPU６１は、ステップＳ４０に進み、ステップＳ３５で作成されたファクシミリの原稿を、ステップＳ３９で指定された電話番号のファクシミリに伝送する処理を実行する。この場合も、CPU６１は、ＲＦ送受信部６５を介して、ベース１に対して、送出のコマンドとデータをベース１に出力する。ベース１においては、CPU４３が、ＲＦ送受信部４６を介して、このコマンドとデータを受け取り、モデム４７を制御して、電話回線５１を介して、指定された相手方にファクシミリのデータを送出させる。
【００７２】
一方、ステップＳ４１において、図２１に示すボタン１４１Ａ（電話ボタン）がオンされたと判定された場合、ステップＳ４２に進み、ビデオホン画面表示処理が実行され、LCD１１に、例えば図３０に示すようなビデオホン画面が表示される。この表示例においては、上方のウインドウ２２１に、相手方の画像を表示する画面が表示され、その下方のウインドウ２２２に、相手側の氏名、メイルアドレス、および電話番号の対応表が表示される。なお、このウインドウ２２２に表示されている対応表は、図２９のウインドウ２１１で表示されている対応表と同一の対応表とされている。
【００７３】
E-Mailまたはファクシミリの原稿を作成する図２９に示す画面においては、この対応表が画面の上方に表示されているのに対し、図３０に示す電話を送受する場合の画面においては、画面の下方に表示されている。これは、図３０に示す画面においては、ウインドウ２２１に表示されている相手側の画像を見ながら、相手方と通話を行うことになるので、相手側の画像を表示するウインドウ２２１を下方に配置すると（対応表のウインドウ２２２を上方に配置すると）、端末３の上方に配置したビデオカメラ１２で撮像する自己の画像が、下目使いの画像となってしまうので、これを防止するためである。相手側の画像を表示するウインドウ２２１を、ビデオカメラ１２が配置されている位置に近い位置に配置するようにすれば、自己の画像を適正な角度で取り込むことができる。
【００７４】
このように、ビデオホン画面が表示された状態においては、次にステップＳ４５に進み、所定の相手側から着信があったか否かが判定され、着信があったと判定された場合には、ステップＳ４７に進み、着信ボタン（例えば図３０に示すボタン１６１Ａ）が点滅される。これにより、使用者は、いま着信があることを認識することができる。また、このとき、CPU６１は、スピーカ１３から着信音を発生させる。次にステップＳ４８に進み、CPU６１は、ボタン１６１Ａ（着信ボタン）がオンされたか否かを判定し、オンされていないと判定された場合には、ステップＳ４５に戻り、それ以降の処理を繰り返し実行する。ステップＳ４８において、ボタン１６１Ａ（着信ボタン）がオンされたと判定された場合、ステップＳ４９に進み、CPU６１は、着信処理を実行する。
【００７５】
すなわち、CPU６１は、ＲＦ送受信部６５を介して、ベース１のCPU４３に着信処理を要求する。CPU４３は、この要求に対応して、モデム４７を制御し、着信処理を実行させる。これにより、電話回線が閉結されることになる。
【００７６】
このように、電話回線が閉結されたとき、ステップＳ５０に進み、使用者は、通話を開始する。CPU６１は、マイクロホン１５を介して取り込んだ使用者の音声を、ＲＦ送受信部６５を介して、ベース１に供給する。ベース１のCPU４３は、ＲＦ送受信部４６を介して、取り込んだ使用者の音声信号を、モデム４７を介して、相手方に伝送させる。また、CPU４３は、相手方から伝送されてきた音声信号を、モデム４７を介して受け取ると、ＲＦ送受信部４６を介して、端末３に出力する。端末３側においては、ＲＦ送受信部６５で、この相手側からの音声信号が受信され、これがスピーカ１３から出力される。
【００７７】
相手側から音声信号とともに映像信号が送られてきた場合には、ステップＳ５１において、その相手側の画像が、ウインドウ２２１に表示される。図３１は、このようにして、相手側の画像が、ウインドウ２２１に表示された状態を表している。
【００７８】
次に、ステップＳ５２に進み、CPU６１は、セルフモニタ表示処理を実行し、図３１に示すように、ウインドウ２３１に、自己の画像を表示するためのセルフモニタを表示させる。さらに、ステップＳ５３において、CPU６１は、ウインドウ２３１の自画像表示ボタン（図３１のボタン２３２）がオンされたか否かを判定する。使用者は、自分自身の画像を相手側に伝送させ、相手側の端末３のウインドウ２２１に、自分の画像を表示させる場合には、このボタン２３２をオンする。この自画像表示ボタン２３２がオンされていると判定された場合には、ステップＳ５４に進み、記憶装置６４に予め登録されているデフォルトの登録画像を読み出し、これをウインドウ２３１に自画像として表示させる。これにより、例えば、急に電話がかかってきたような場合において、現在の自分の画像を相手側に伝送したくない場合には、伝送してもよい自分の画像を、予め記憶装置６４に登録しておくことで、その画像を相手側に伝送するようにすることができる。なお、このとき、最初に表示される登録画像は、入力したパスワードに対応する画像とすることができる。
【００７９】
ウインドウ２３１には、ウインドウ２３１に表示する（相手側に伝送する）画像を変更するためのボタン２３３が設けられている。そこで、ステップＳ５５において、このボタン２３３がオンされたか否かが判定され、このボタンがオンされたと判定された場合には、ステップＳ５６に進み、CPU６１は、記憶装置６４に登録されている他の画像を読み出したり、あるいは、ビデオカメラ１２でいま撮像した使用者の画像を取り込み、これをウインドウ２３１に表示させる。図３２は、このときの表示例を示している。ステップＳ５５において、変更ボタン２３３がオンされていないと判定された場合には、ステップＳ５６の処理はスキップされる。
【００８０】
次にステップＳ５７に進み、予め設定してある所定の時間が経過したか否かが判定され、所定の時間が経過していなければ、ステップＳ５５に戻り、それ以降の処理が繰り返し実行される。ステップＳ５７において、所定の時間が経過したと判定された場合、ステップＳ５８に進み、ウインドウ２３１にそのとき表示されている画像を、相手側に伝送する処理が実行される。すなわち、CPU６１は、ウインドウ２３１に表示させている画像のデータを、ＲＦ送受信部６５を介して、ベース１に送出する。ベース１のCPU４３は、この画像データをＲＦ送受信部４６を介して受信したとき、これをモデム４７を介して相手側に伝送させる。このようにして伝送した自分の画像が、相手側の端末３のウインドウ２２１に表示されることになる。
【００８１】
ステップＳ５９においては、通話を終了させるためのボタン（図３２におけるボタン２６１Ｂ）が操作されたか否かが判定され、操作されていなければ、それが操作されるまで待機する。使用者は、通話を終了させるとき、ボタン１６１Ｂをオンする。このとき、ステップＳ５９からステップＳ６０に進み、CPU６１は、電話回線を開放する処理を実行する。そして、ステップＳ３１に戻り、それ以降の処理を繰り返し実行する。
【００８２】
ステップＳ５３において、自画像表示ボタン２３２がオンされていないと判定された場合には、ステップＳ５４乃至ステップＳ５８の処理はスキップされ、ステップＳ５９に進む。すなわち、この場合には、自己の登録画像は相手側に伝送されず、音声による通話だけを行うことができる。
【００８３】
一方、ステップＳ４５において、着信がなされていないと判定された場合には、ステップＳ４６に進み、メイルボタン（図３０におけるボタン１４１Ｂ）がオンされているか否かが判定される。このメイルボタン１４１Ｂがオンされていると判定された場合には、ステップＳ３４に戻り、メイル作成画面表示処理を実行し、それ以降の処理がさらに続けて行われる。すなわち、このように、電話をかけるか、電話の着信を受ける場合の画面（例えば、図３０の画面）には、メイルを作成する場合の画面に移行するためのボタン１４１Ｂが設けられており、メイルを作成する画面（例えば、図２９に示す画面）には、電話をかけるか、着信を受ける場合の画面に移行するためのボタン１４１Ａが設けられており、それぞれ相互に簡単に他方の画面に移行することができるようになされている。
【００８４】
ステップＳ４６において、メイルボタン１４１Ｂがオンされていないと判定された場合には、ステップＳ６１以降において、相手方に電話をかける場合の処理が行われる。
【００８５】
この場合においては、ステップＳ６１において、使用者は、電話をかける相手方の電話番号を入力する処理が行われる。この入力は、例えば図３０のウインドウ２２２に表示されている対応表から、予め登録されている所定の電話番号をカーソルで選択することで行ってもよいし、文字入力装置５４を操作して行ってもよい。このように、所定の電話番号が入力されると、ステップＳ６２に進み、CPU６１は、自画像を表示するためのセルフモニタを表示する処理を実行する。これにより、例えば図３１に示すようなウインドウ２３１が、図３０に示すような画面に重畳表示されることになる。
【００８６】
次にステップＳ６３に進み、ウインドウ２３１のボタン２３２（自画像表示ボタン）がオンされたか否かが判定される。ボタン２３２がオンされていないと判定された場合には、ステップＳ６４に進み、発呼ボタン（図３０における、ボタン１６１Ａ）がオンされたか否かが判定される。ボタン１６１Ａがオンされていないと判定された場合には、ステップＳ６１に戻り、それ以降の処理が繰り返し実行される。
【００８７】
ステップＳ６３において、ウインドウ２３１のボタン２３２がオンされたと判定された場合には、ステップＳ６５に進み、登録画面表示処理が実行される。すなわち、このとき、CPU６１は、記憶装置６４に予め記憶されているデフォルトの画像を読み出し、ウインドウ２３１に表示させる。この場合も、パスワードに対応する画像が、ウインドウ２３１に表示される。次にステップＳ６６に進み、ウインドウ２３１のボタン２３３がオンされたか否かが判定され、オンされた場合には、ステップＳ６７に進み、CPU６１は、記憶装置６４に記憶されている他の画像、あるいは、ビデオカメラ１２で取り込んだ画像を読み出し、ステップＳ６５で、これをウインドウ２３１に表示させる。使用者は、必要に応じて、このように変更ボタン２３３を操作して、所定の画像をウインドウ２３１に表示させる。ステップＳ６６において、変更ボタン２３３がオンされていないと判定された場合には、ステップＳ６４に進み、発呼ボタン１６１Ａがオンされたか否かが判定される。
【００８８】
ステップＳ６４において、発呼ボタン１６１Ａがオンされたと判定された場合には、ステップＳ６８に進み、CPU６１は、ステップＳ６１で入力された電話番号に対する呼び出し処理を実行する。すなわち、CPU６１は、ＲＦ送受信部６５を介して、ベース１のCPU４３に、発呼動作を要求する。CPU４３は、ＲＦ送受信部４６を介して、CPU６１からこの要求を受けたとき、モデム４７を制御して、指定された電話番号に対する発呼動作を開始させる。
【００８９】
次にステップＳ６９に進み、相手側が応答したか否かを判定し、相手側が応答していないと判定された場合には、ステップＳ７３に進み、終了ボタン１６１Ｂがオンされたか否かを判定する。終了ボタン１６１Ｂがオンされていないと判定された場合には、ステップＳ６８に戻り、相手側を呼び出す処理がそのまま継続される。そして、ステップＳ７３において、終了ボタン１６１Ｂがオンされたと判定された場合には、ステップＳ７４に進み、発呼動作を中止し、ステップＳ４５に戻り、それ以降の処理を繰り返し実行する。
【００９０】
ステップＳ６９において、相手側が応答したと判定された場合、ステップＳ７０に進み、回線閉結処理が実行される。そして、ステップＳ７１において、通話が開始される。ステップＳ７２においては、セルフモニタに画像が表示されているか否か（ボタン２３２がオンされているか否か）が判定される。相手側に画像を伝送する場合には、使用者は、ボタン２３２を操作して、ウインドウ２３１に、予め記憶装置６４に登録されている画像、またはそのときの自分自身の画像をビデオカメラ１２で取り込んだ画像を、ウインドウ２３１に表示させている。このように、ウインドウ２３１に画像が表示されている場合には（自画像表示ボタン２３２がオンされている場合には）、ステップＳ５８に進み、ウインドウ２３１に表示されている画像と同一の画像を相手側に出力する処理が実行される。
【００９１】
ステップＳ７２において、ボタン２３２がオンされていないと判定された場合には、ステップＳ５８の処理はスキップされる。そして、ステップＳ５９に進み、終了ボタン１６１Ｂがオンされるまで待機し、オンされたとき、ステップＳ６０において、回線開放処理を実行した後、ステップＳ４５に戻る。
【００９２】
なお、電話機２により、通常のように電話をかけることができるのは、勿論である。
【００９３】
次に、図３３のフローチャートを参照して、図２２に示すようなHOME NET画面が表示されている場合におけるホームネット制御の詳細について説明する。使用者は、所定の機器を制御するとき、ステップＳ１０１において、制御する機器を選択する操作を行う。この操作は、例えば図２２に示す画面上で、IEEE１３９４バス５２を介して、相互に接続されているＡＶ機器のうち、所定の制御すべきＡＶ機器をカーソルを移動して選択することで行う。このように、所定の機器が選択されると、ステップＳ１０２に進み、CPU６１は、選択されたＡＶ機器を制御するための制御ボタンを表示する処理を実行する。図３４は、このようにして、LCD１１に表示された制御ボタン１７１の表示例を表している。この表示例においては、テレビジョン受像機（ＴＶ）、ビデオカセットレコーダ(VCR)、およびデジタルビデオディスク(DVD)が、制御すべきＡＶ機器として選択され、その制御ボタン１７１が表示されている。
【００９４】
次にステップＳ１０３に進み、使用者は、図３４に示すように、各ＡＶ機器毎に表示されたボタン１７１のうち、所定のボタンを選択し、制御を指令する。各ＡＶ機器の所定のボタン１７１が操作されると、その操作された制御ボタンに対応する処理がステップＳ１０４において実行される。
【００９５】
すなわち、このとき、CPU６１は、ＲＦ送受信部６５から直接、またはベース１を介して、例えばＡＶコントローラ５３に、その制御ボタンに対応するコマンドを出力する。ＡＶコントローラ５３は、無線またはIEEE１３９４バス５２を介して供給されてきたこのコマンドを取り込むと、このコマンドに対応して、各ＡＶ機器を制御する。図３５は、このようにして、テレビジョン受像機に対して、第１２０チャンネルの画像を受信させ、これをビデオカセットレコーダに記録させる場合のLCD１１における表示例を表している。
【００９６】
図３６と図３７は、図１８乃至図２４、図２９乃至図３２、図３４および図３５に示した表示画面の遷移の状態を表している。これらの図に示すように、図１８に示すメニュー画面において、所定の入力が行われると、図１９に示すパスワード入力画面が表示される。そして、WEBキーが選択されて、パスワードが入力された場合には、図２０に示すWEB画面が表示される。E-Mailキーが選択された状態で、パスワードが入力された場合には、図２１に示すMAIL/TEL画面が表示される。VTRキーが選択された状態で、パスワードが入力された場合には、図２２に示すHOME NET画面が表示される。
【００９７】
さらに、シンボルが選択された状態において、パスワードが入力された場合には、図２３に示すファンクション画面が表示される。図２３に示すファンクション画面において、タブMAIL/TELが選択された場合には、図２１に示す画面が表示される。
【００９８】
これらの図２０、図２１、および図２２に示すWEB，MAIL/TEL、またはHOME NETの３つのモードのいずれにおいても、それぞれの画面において表示されているタブを選択することで、任意の他のモードに遷移することができる。また、これらの３つのモードのいずれのモードにおいても、ホームリターンキー（ボタン１４２）を選択することで、図１８のメニュー画面に戻ることができる。
【００９９】
図２１に示すMAIL/TEL画面において、他の着信メイルを選択すると、図２４に示す他の着信メイルの内容が表示される。
【０１００】
また、図２１のMAIL/TEL画面において、メイルボタン１４１Ｂを選択すると、図２９に示すように、メイル作成画面が表示される。図２９に示すメイル作成画面において、電話ボタン１４１Ａを選択すると、図３０に示すビデオホン画面に遷移する。この図３０のビデオホン画面において、メイルボタン１４１Ｂを選択すれば、再び図２９に示すメイル作成画面に戻ることができる。
【０１０１】
図３０に示すビデオホン画面において、着信があると、図３１に示すように、ウインドウ２２１に相手側の画像が表示されるとともに、ウインドウ２３１が表示される。そして、ウインドウ２３１のボタン２３２をオンすると、図３２に示すように、ウインドウ２３１に、自己の画像が表示され、これが相手側にも伝送される。
【０１０２】
図２２に示すHOME NET画面において、所定のＡＶ機器を選択すると、図３４に示すように、選択したＡＶ機器を制御するボタンが表示される。そして、図３４に示す表示状態において、所定のボタンを制御すると、図３５に示すように、そのボタンに対応した制御と表示が行われる。
【０１０３】
端末３は可搬型とされているので、ベース１から容易に取り外し、運ぶことができる。従って、通常、部屋Ａに、ベース１を載置しておき、このベース１に、電話機２と端末３を装着した状態にしておく。そして、電話がかかってきたときには、相手の画像を確認する必要のない場合、電話機２で通常の電話を行うことができる。勿論、相手側の画像を確認しながら電話を行いたい場合には、部屋Ａにおいて、端末３をベース１に装着したままの状態で、相手側と端末３を用いて通話を行うこともできる。さらに、部屋Ａに置いてある他のＡＶ機器を、端末３を用いて、無線で制御することもできる。
【０１０４】
このような状態において、第３者からE-Mailやファクシミリが送られてきたとき、CPU４３は、モデム４７を介して、このデータを取り込み、ＲＦ送受信部４６を介して、端末３に出力する。端末３のCPU６１は、このデータをＲＦ送受信部６５を介して取り込み、これを記憶装置６４に記憶させる。このようにして、記憶装置６４には、着信されたファクシミリやE-Mailが自動的に記録される。
【０１０５】
このように、所定のE-Mailや電話がかかってくると、図１８のメニュー画面に示すように、そのE-Mailや電話が誰にかかってきたかが識別され、その識別された結果が、端末３のメニュー画面に表示される。使用者は、このメニュー画面の表示を見て、自分宛のE-Mailなどが着信していることを、自己に割り当てられているシンボル１０３の色に対応するマーク１０２から知ることができる。そして、必要に応じて、自分の部屋Ｂに端末３を持って行き、自分宛のE-Mailを読み出し、内容を確認することができる。
【０１０６】
なお、以上の実施の形態においては、ベース１、電話機２、および端末３の間のデータの授受をＲＦ信号を用いて行うようにしたが、赤外線を用いて行うようにすることも可能である。要は、無線であればよい。
【０１０７】
このようにして、端末３で、E-Mailやファクシミリを自動的に受信し、記憶装置６４に記憶しておくようにすることで、テレビジョン受像機などに、これらの受信情報を表示する必要がなくなり、例えばテレビジョン受像機の電源をオンしていないような場合においても、これらの情報を、自動的に着信し、記録することができる。従って、緊急の情報であったとしても、この着信を、速やかに、各家族が知ることができる。また、これらの情報を、端末３自体に表示し、確認することができるので、テレビジョン受像機に表示させる場合のように、他の家族が、その番組を楽しむことができなくなってしまうようなことが防止される。また、端末３を可搬型としたので、これを自分の部屋に持って行って、情報を確認することができるので、複数の家族で端末３を共用したとしても、そのプライバシーを確保することができる。
【図面の簡単な説明】
【０１０８】
【図１】本発明の情報処理装置の構成例を示す斜視図である。
【図２】図１の構成例の電話機とペンを取り外した状態の構成を示す斜視図である。
【図３】図１の端末３の正面の構成を示す正面図である。
【図４】図１の端末３の背面の構成を示す背面図である。
【図５】図１の端末３の平面の構成を示す平面図である。
【図６】図１の端末３の底面の構成を示す底面図である。
【図７】図１の端末３の側面の構成を示す右側面図である。
【図８】図１の電話機２の正面の構成を示す正面図である。
【図９】図１の電話機２の側面の構成を示す左側面図である。
【図１０】図１のベース１の正面の構成を示す正面図である。
【図１１】図１のベース１の平面の構成を示す平面図である。
【図１２】図１のベース１に端末３を装着した状態の背面の構成を示す図である。
【図１３】図１のベース１に電話機２を装着した状態の平面の構成を示す図である。
【図１４】図１のベース１に電話機２と端末３を装着した状態の側面の構成を示す右側面図である。
【図１５】図１のベース１、電話機２および端末３の内部の構成例を示すブロック図である。
【図１６】図１の端末３の動作を説明するフローチャートである。
【図１７】図１の端末３の動作を説明するフローチャートである。
【図１８】図１の端末３のLCDにおける表示例を示す写真である。
【図１９】図１の端末３のLCDにおける表示例を示す写真である。
【図２０】図１の端末３のLCDにおける表示例を示す写真である。
【図２１】図１の端末３のLCDにおける表示例を示す写真である。
【図２２】図１の端末３のLCDにおける表示例を示す写真である。
【図２３】図１の端末３のLCDにおける表示例を示す写真である。
【図２４】図１の端末３のLCDにおける表示例を示す写真である。
【図２５】図１の端末３のMAIL/TELモードにおける動作を説明するフローチャートである。
【図２６】図１の端末３のMAIL/TELモードにおける動作を説明するフローチャートである。
【図２７】図１の端末３のMAIL/TELモードにおける動作を説明するフローチャートである。
【図２８】図１の端末３のMAIL/TELモードにおける動作を説明するフローチャートである。
【図２９】図１の端末３のLCDにおける表示例を示す写真である。
【図３０】図１の端末３のLCDにおける表示例を示す写真である。
【図３１】図１の端末３のLCDにおける表示例を示す写真である。
【図３２】図１の端末３のLCDにおける表示例を示す写真である。
【図３３】図１の端末３のホームネット制御のより詳細な動作を説明するフローチャートである。
【図３４】図１の端末３のLCDにおける表示例を示す写真である。
【図３５】図１の端末３のLCDにおける表示例を示す写真である。
【図３６】図１の端末３の表示の遷移を説明する図である。
【図３７】図１の端末３の表示の遷移を説明する図である。
【図３８】図１の実施の形態の使用状態を説明する図である。
【符号の説明】
【０１０９】
１  ベース，  ２  電話機，  ３  端末，  ４  ペン，  １１  LCD，  １２  ビデオカメラ，  １３  スピーカ，  １４  ボタン，  １５  マイクロホン，  １６  タッチパネル，  ３４  ＲＦ送受信部，  ３５  ２次電池，  ４１  電源回路，  ４２  充電器，  ４５  マイクロコンピュータ，  ４６  ＲＦ送受信部，  ４７  モデム，  ６３  マイクロコンピュータ，  ６４  記憶装置，  ６６  ２次電池
【図１】
2006203943.tif 000003
【図２】
2006203943.tif 000004
【図３】
2006203943.tif 000005
【図４】
2006203943.tif 000006
【図５】
2006203943.tif 000007
【図６】
2006203943.tif 000008
【図７】
2006203943.tif 000009
【図８】
2006203943.tif 000010
【図９】
2006203943.tif 000011
【図１０】
2006203943.tif 000012
【図１１】
2006203943.tif 000013
【図１２】
2006203943.tif 000014
【図１３】
2006203943.tif 000015
【図１４】
2006203943.tif 000016
【図１５】
2006203943.tif 000017
【図１６】
2006203943.tif 000018
【図１７】
2006203943.tif 000019
【図１８】
2006203943.tif 000020
【図１９】
2006203943.tif 000021
【図２０】
2006203943.tif 000022
【図２１】
2006203943.tif 000023
【図２２】
2006203943.tif 000024
【図２３】
2006203943.tif 000025
【図２４】
2006203943.tif 000026
【図２５】
2006203943.tif 000027
【図２６】
2006203943.tif 000028
【図２７】
2006203943.tif 000029
【図２８】
2006203943.tif 000030
【図２９】
2006203943.tif 000031
【図３０】
2006203943.tif 000032
【図３１】
2006203943.tif 000033
【図３２】
2006203943.tif 000034
【図３３】
2006203943.tif 000035
【図３４】
2006203943.tif 000036
【図３５】
2006203943.tif 000037
【図３６】
2006203943.tif 000038
【図３７】
2006203943.tif 000039
【図３８】
2006203943.tif 000040